(57)【要約】【課題】従来は、財布、眼鏡、鍵などの日常生活に必要となる物品、事務上必要な書類、図書、事務機器などの事務用品、作業に必要な工具、器具などを置き忘れた場合に、それらを探すために多大な労力と時間を必要としていた。これらの物品を容易に探し出すための機器は無かったので、簡単に探せる機器が求められていた。【解決手段】日常生活に必要な物品、事務用品、工具などごとに割り振られた携帯電話からの電波を受信して電波受信部２は、電源部１からの電流に乗せた電気信号を制御部３を通過して発光部４及び音声部５に送り、発光部４又は音声部５を同時に又は個別に  連続的又は断続的に作動させる。【選択図】  図１
2012199770.tif 000002
【特許請求の範囲】
【請求項１】
携帯電話からの電波を受信し、受信に応じて一定時間  音声又は光を選択的に、或いは
音声及び光を同時に、継続的に又は断続的に発する所在通知無線電波受信機。
【請求項２】
置き忘れ物品への電波発信回路を付加した携帯電話。
【請求項３】
所在通知無線電波受信機を内蔵した置き忘れ物品。
【請求項４】
所在通知無線電波受信機と置き忘れ物品とを接続するための紐またはフックを取り付けるための接続部を設けた所在通知無線電波受信機を収納するケース。
【発明の詳細な説明】
【技術分野】
【０００１】
この発明は、日常生活上或いは職務上  必要な物品を容易に探し出せるようにするための所在通知無線電受信機に関するものである。
【背景技術】
【０００２】
従来の携帯電話からの電波は、携帯電話相互間の通話、携帯電話と固定電話間の通話、
およびＥ−メールなどに使用されており、それ以外の用途には使用されていなかった。
【先行技術文献】
【特許文献】
【０００３】
【特許文献１】特許公開２０１０−４１７０１
【発明の概要】
【発明が解決しようとする課題】
【０００４】
人間は老若を問わず日常生活を営む上で、大切なことを覚えているつもりでいるにもか
かわらず、時間が経過するにつれて忘れることが多い。
財布、メガネ、鍵、印鑑、時計、手帳、筆記具、携帯ラジオ、携帯録音機、携帯ＣＤ、ＤＶＤ音楽・映像機、これらの収納ケース、帽子、ハンドバッグ、ポシェット、ポーチ、読書途中の本など日常生活上必要な物品（以下「生活必要物品」という。）の置き場所を忘れ、必要な時にすぐに取り出せず、見つけ出せず、困窮することは、誰しもが経験するこことである。日常生活において、処理すべき用務、記憶しておくべき用務・事項やストレスが多くなるほど、忘れることも多くなり、忘れることによる困窮度も大きくなる。このことがストレスを引き起こし、更に能力・脳力の低下を促進するようになる。
生活必要物品が必要になった時に、その置き場所を忘れて生活必要物品を探すために多大な時間と労力を費やし、不便であったにもかかわらず、この問題を解決するための機器・装置は、今まで無かった。
この発明は、生活必要物品が置き忘れられた状態になった時に、生活必要物品を探すための労力と時間を必要とせずに、瞬時に生活必要物品を発見できる機器を提供しようとするものである。
【０００５】
事務所においては、事務上必要な書類、図書、小さな事務機器など（以下「事務用品」という。）はその置き場所が決められていて整理整頓されるはずであるが、事務が繁忙になると本来の置き場所でない場所に置かれ、次いでその置き場所を忘れる事態になる。置き場所を忘れた事務用品を探ためには、多大な労力と時間を費やし、不便であったにもかかわらず、この問題を解決するための機器・装置は、今まで無かった。
この発明は、事務用品が置き忘れられた状態になった時に、事務用品を探すための労力と時間を必要とせずに、瞬時に事務用品を発見できる機器を提供しようとするものである。
【０００６】
作業場・工場において、作業に必要な工具、器具など(以下「工具など」という。)はその置き場所が決められていて整理整頓されるはずであるが、作業外の用務のために作業を中断したり、作業が繁忙になれば、本来の置き場所でない場所に置かれ、次いでその置き場所を忘れる事態になる。置き場所を忘れた工具などを探ためには、多大な労力と時間を費やし、不便であったにもかかわらず、この問題を解決するための機器・装置は、今まで無かった。
この発明は、工具などが置き忘れられた状態になった時に、工具などを探すための労力と時間を必要とせずに、瞬時に工具などを発見できる機器を提供しようとするものである。
【０００７】
生活必要物品、事務用品、工具などを「置き忘れ物品」と言う。
【０００８】
特許公開２０１０−４１７０１は、携帯電話から送信された電波を、別の受信機でその受信機を人間の体に装備・携帯して受信するものである。その目的においても、人間の体に装備・携帯しないことを前提とする本発明の所在通知無線電波受信機とは、その目的においても機器の構成においても、根本的に相違するものである。
【課題を解決するための手段】
【０００９】
上記の課題を解決するために、携帯電話から発信する電波には、携帯電話相互間の通話、携帯電話と固定電話間の通話、およびインターネットに対して送受信する電波以外に、置き忘れ物品に付着又は内蔵した電気機器（以下「所在通知無線電波受信機」と言う。）対して電波を発信する電気回路を付加する。
例えば置き忘れ物品のうち、財布であれば、携帯電話の番号１０を、メガネであれば携
帯電話の番号１１を、鍵であれば携帯電話の番号１３など、物品に応じて割り当てた番号を割り振る。同一品目であっても、その中で用途が異なれば細分類の番号を割り振ってもよい。例えばメガネにおいて、読書・裁縫などの近距離用メガネには１１１を、運転・外出などの遠距離用には１１２をと細分類の番号を割り振ってもよい。
【００１０】
所在通知無線電波受信機は、携帯電話からの電波を受信し、受信に応じて一定時間  音
声と光を同時に或いは音声又は光を選択的に、継続的に又は断続的に発する機器とする。
所在通知無線電波受信機には、逆方向に携帯電話に対して電波を発信する装置は必要ない。
携帯電話から置き忘れ物品に応じて割り振った番号を呼び出せば、その番号を割り振られた所在通知無線電波受信機が音声と光で同時に或いは音声または光で選択的に、継続的に又は断続的に応答する機器とする。
【００１１】
電波受信部と音声発信部、光発信部を設けた電波受信装置を収納するケースには、置
き忘れ物品と接続するための紐またはフックをつなぐための接続部を設けてもよい。
【００１２】
置き忘れ物品に所在通知無線電波受信機を内蔵する形体にすれば、置き忘れ物品と所在
通知無線電波受信機とを結びつける紐又はフックが必要なくなるので、置き忘れ物品の形体がより機能的、美的になる。
【発明の効果】
【００１３】
日常生活、事務所、作業場・工場において置き忘れ物品の置き場所を忘れた場合でも携
携帯電話を使用して置き忘れ物品に割り振った番号を発信すればよい。探す目的の置き忘れ物品は、携帯電話からの電波を受信して、音声と光で同時に或いは音声または光で選択的に、継続的に又は断続的に応答する。年齢男女を問わず、音又は光を目指して探せば、誰でもが容易にかつ瞬時に置き忘れ物品を発見できる。置き忘れ物品を探すための労力と時間を費やす必要が無くなり、ストレスも無くなり、よく物忘れをする人でも快適な生活を送れるようになる。
【図面の簡単な説明】
【００１４】
【図１】図１は、本発明の回路図である。
【発明を実施するための形態】
【００１５】
以下、本発明の実施形態を図に基づいて説明する。
【実施例１】
【００１６】
携帯電話から置き忘れ物品ごとに割り振られた電波を、電波受信部２（アンテナを含む電波受信装置」を言う。以下同じ。）が受信した電波を、電源部１（「一次電池、二次電池又は太陽電池」を言う。以下同じ）からの電流に乗せた電気信号を制御部３（「抵抗、コンデンサーを含む受信電波及び発光部、音声部を制御する電気回路」を言う。以下同じ。）を経由して発光部４（「ランプ又は発光ダイオード」を言う。以下同じ。）及び音声部５（「スピーカー又はブザー」を言う。以下同じ。）に送り、音声部又は発光部を同時に又は個別に、連続的又は断続的に作動させる。
【実施例２】
【００１７】
実施例１においては、回路にスィッチを設けなかったが、電波を割り当てた置き忘れ物品が長期旅行等の理由により長期間必要としなくなる事態が想定される場合に電源を使用しないようにするため、回路にスィッチを設けてもよい。
【産業上の利用可能性】
【００１８】
置き忘れ物品を置き忘れることは、年齢を問わず、男女を問わず、誰でもが経験するこ
ることである。そして置き忘れ物品を探すために多大な労力と時間を必要としていた。このような場合において所在通知無線電波受信機を置き忘れ物品に付着又は内蔵させておけば、携帯電話からの電波により光と音で応答する個所を探せば、瞬時に目的の置き忘れ物品を探し出せるので、日常生活においても、事務所、作業場・工場においても置き忘れ物品を探すための労力と時間を縮小して不便を解消し、事務能率、作業能率の向上に貢献する。
【符号の説明】
【００１９】
１  電源部
２  電波受信部
３  制御部  
４  発光部
５  音声部
【図１】
2012199770.tif 000003